(57)【要約】【課題】フラップの差込片を箱本体内に差し込む際における入れ易さの改善を図る。【解決手段】差込片１ｆは、自己の付け根から自己の先端までの距離が最も大きな突出部Ａと、この距離が徐々に小さくなるように、突出部Ａから縁部が傾斜して延在する傾斜部Ｂとを有する。突出部Ａは、箱本体１ａ内の開口部近傍に設けられた、差込片１ｆが差し込まれる差込スペースのうち、差込幅が最も狭い部位ｃ２を除いた差込スペースｃ１と対向する位置に設けられている。【選択図】図４
2010159068.tif 000002
【特許請求の範囲】
【請求項１】
商品収容箱において、
商品を収容するとともに、開口部を有する箱本体と、
前記開口部に設けられた複数のフラップと、
前記フラップのいずれかに設けられているとともに、自己の付け根から自己の先端までの距離が最も大きな突出部と、前記距離が徐々に小さくなるように、前記突出部から縁部が傾斜して延在する傾斜部とを有する差込片とを有し、
前記突出部は、前記箱本体内の前記開口部近傍に設けられた前記差込片の差込スペースのうち、差込幅が最も狭い部位を除いた差込スペースと対向する位置に設けられていることを特徴とする商品収容箱。
【請求項２】
商品収容箱において、
商品を収容するとともに、開口部を有する箱本体と、
前記開口部に設けられた複数のフラップと、
前記フラップのいずれかに設けられているとともに、自己の付け根から自己の先端までの距離が最も大きな突出部と、前記距離が徐々に小さくなるように、前記突出部から縁部が傾斜して延在する傾斜部とを有する差込片と、
前記箱本体内の前記開口部近傍に設けられ、前記差込片を差し込む際に、前記突出部と対向する第１の差込スペースと、
前記箱本体内の前記開口部近傍に設けられ、前記差込片を差し込む際に、前記傾斜部と対向するとともに、前記第１の差込スペースよりも差込幅が狭い第２の差込スペースと
を有することを特徴とする商品収容箱。
【請求項３】
前記箱本体内には、互いの形状が異なる第１の商品および第２の商品が収容され、
前記第１の差込スペースは、前記第１の商品の外面と前記箱本体の内面の間に形成され、
前記第２の差込スペースは、前記第２の商品の外面と前記箱本体の内面の間に形成されることを特徴とする請求項２に記載された商品収容箱。
【請求項４】
前記突出部は、前記差込片の中央から偏倚した位置に設けられていることを特徴とする請求項１から３のいずれかに記載された商品収容箱。
【請求項５】
前記傾斜部は、前記差込片の先端側に向かって凸状に湾曲しながら傾斜していることを特徴とする請求項１から４のいずれかに記載された商品収容箱。
【請求項６】
前記傾斜部は、前記差込片の先端側に向かって凹状に湾曲しながら傾斜していることを特徴とする請求項１から４のいずれかに記載された商品収容箱。
【請求項７】
前記傾斜部は、直線状に傾斜していることを特徴とする請求項１から４のいずれかに記載された商品収容箱。
【請求項８】
前記複数のフラップは、一対の内フラップと、外フラップとを有し、
前記差込片は、前記外フラップに設けられており、
前記突出部は、前記差込片を前記箱本体内に差し込む際、前記一対の内フラップよりも内側に位置することを特徴とする請求項１から７のいずれかに記載された商品収容箱。
【発明の詳細な説明】
【技術分野】
【０００１】
本発明は、開閉式フラップを備えた商品収容箱に関する。
【背景技術】
【０００２】
一般に、商品を収容する商品収容箱では、その開閉機構として、開閉式フラップを備えたものが多い。例えば、特許文献１には、外フラップの先端に、箱本体内に差し込むための差込片を設けるとともに、この差込片の一端側に、他の部分よりも差込長の大きい差込ガイド部を形成した包装箱が開示されている。突出した差込ガイド部を差し込んだ後、他の部分を箱本体内に滑らせながら差し込むことで、差し込みの作業性の向上を図る。
【先行技術文献】
【特許文献】
【０００３】
【特許文献１】特開２００５−２９８０４９号公報
【発明の概要】
【発明が解決しようとする課題】
【０００４】
ところで、例えば、酒類（ウイスキーのミニチュアボトル）および菓子（菓子箱）を１セットにしたギフトのように、複数種の商品をパッケージ化した販売形態も増加している。この場合、物流コストを抑えるべく、極力小型の収容箱を用いて、収容の効率化を図ることが要求される。しかしながら、商品の収容の仕方（レイアウト）によっては、収容された商品や箱本体の端縁に引っ掛かってしまい、フラップの差込片が入れ難くなるといった問題が生じる。
【０００５】
本発明は、かかる事情に鑑みてなされたものであり、その目的は、フラップの差込片を箱本体内に差し込む際の入れ易さの改善を図ることである。
【課題を解決するための手段】
【０００６】
かかる課題を解決すべく、第１の発明は、商品を収容するとともに、開口部を有する箱本体と、開口部に設けられた複数のフラップと、フラップのいずれかに設けられた差込片とを有する商品収容箱を提供する。差込片は、自己の付け根から自己の先端までの距離が最も大きな突出部と、この距離が徐々に小さくなるように、突出部から縁部が傾斜して延在する傾斜部とを有する。突出部は、箱本体内の開口部近傍に設けられた、差込片が差し込まれる差込スペースのうち、差込幅が最も狭い部位を除いた差込スペースと対向する位置に設けられている。
【０００７】
第２の発明は、商品を収容するとともに、開口部を有する箱本体と、開口部に設けられた複数のフラップと、フラップのいずれかに設けられた差込片とを有する商品収容箱を提供する。差込片は、自己の付け根から自己の先端までの距離が最も大きな突出部と、距離が徐々に小さくなるように、突出部から縁部が傾斜して延在する傾斜部とを有する。箱本体内の開口部近傍には、第１の差込スペースと、第２の差込スペースとが設けられている。第１の差込スペースは、差込片を差し込む際に突出部と対向する。第２の差込スペースは、差込片を差し込む際に傾斜部と対向するとともに、第１の差込スペースよりも差込幅が狭い。
【０００８】
ここで、第２の発明において、箱本体内には、互いの形状が異なる第１の商品および第２の商品が収容されてもよい。この場合、第１の差込スペースは、第１の商品の外面と箱本体の内面の間に形成され、第２の差込スペースは、第２の商品の外面と箱本体の内面の間に形成される。
【０００９】
また、第１または第２の発明において、突出部は、差込片の中央に対して偏倚した位置に設けられていることが好ましい。
【００１０】
また、第１または第２の発明において、傾斜部は、差込片の先端側に向かって凸状に湾曲しながら傾斜していてもよく、差込片の先端側に向かって凹状に湾曲しながら傾斜していてもよく、また、直線状に傾斜していてもよい。
【００１１】
さらに、第１または第２の発明において、複数のフラップは、一対の内フラップと、外フラップとを有することが好ましい。この場合、差込片は、外フラップに設けられており、突出部は、差込片を箱本体内に差し込む際、一対の内フラップよりも内側に位置することが好ましい。
【発明の効果】
【００１２】
第１または第２の発明によれば、突出部が差込幅の比較的広い差込スペース（第１の差込スペース）に差し込まれた後、この突出部に導かれて、傾斜部が差込幅の比較的狭い差込スペース（第２の差込スペース）に滑らかに差し込まれていく。これにより、収容された商品や箱本体の端縁に引っ掛かり難くなるので、フラップの差込片が入れ易くなる。
【図面の簡単な説明】
【００１３】
【図１】異種商品を収容する商品収容箱の斜視図である。
【図２】第１の実施形態に係る商品収容箱の平面展開図である。
【図３】外フラップを開いた状態の商品収容箱を示す図である。
【図４】開いた外フラップを閉じる過程を示す図である。
【図５】第２の実施形態に係る商品収容箱の平面展開図である。
【図６】第３の実施形態に係る商品収容箱の平面展開図である。
【図７】比較例に係る商品収容箱の平面展開図である。
【図８】フラップ差込時の引っ掛かりに関する性能評価結果表である。
【図９】フラップ差込時の入れ易さに関する性能評価結果表である。
【発明を実施するための形態】
【００１４】
(第１の実施形態）
図１は、異種商品を収容する商品収容箱の斜視図である。本実施形態では、商品収容箱１に収容すべき商品の一例として、ウイスキーのミニチュアボトル２と、平板状の菓子箱３とを想定しているが、互いに形状の異なる商品であればどのような組み合せであってもよい。
【００１５】
商品収容箱１は、直方体状の紙箱であり、箱本体１ａと、その上開口部に設けられた複数のフラップ１ｂ〜１ｄとを主体に構成されている。箱本体１ａの内部には、商品を収容するための内部スペースが設けられている。また、箱本体１ａの前面下方には、商品自体に付された表示を外部から視認するための開口窓１ｅが形成されている。また、箱本体１ａの上開口部の左右には、一対の内フラップ１ｂ，１ｃが設けられているとともに、その後ろには、外フラップ１ｄが設けられている。この外フラップ１ｄには、箱本体１ａ内に差し込むための差込片１ｆが設けられている。詳細については後述するが、本実施形態の特徴は差込片１ｆの先端形状にある。
【００１６】
収容すべき商品であるミニチュアボトル２および菓子箱３は、紙製の仕切り板４にセットされた上で、箱本体１ａ内に収容される。ここで、ミニチュアボトル２の外径Φは、箱本体１ａの奥行きＷと略同等である。したがって、箱本体１ａ内に収容されたミニチュアボトル２は、箱本体１ａの前後面によって、奥行きＷの方向の動きが規制される。これに対して、菓子箱３の厚さｗは、箱本体１ａの奥行きＷよりも小さいので、そのままでは収容された菓子箱３が奥行きＷの方向に動いてしまう。そこで、この動きを規制するために、仕切り板４にスペーサ４ａを設け、このスペーサ４ａによって、菓子箱３を箱本体１ａの前面側に位置させている（図３参照）。
【００１７】
図２は、本実施形態に係る商品収容箱１の平面展開図である。この商品収容箱１は、一枚の厚紙を切り抜き、糊代部１ｇを接着することによって形成される。前面部１ｈは、右側の折曲線を介して右側面部１ｉ、左側の折曲線を介して糊代部１ｇ、そして、下側の折曲線を介してワンタッチ底片１ｊとそれぞれ連結している。また、前面部１ｈの中央下方には、上述した開口窓１ｅが形成されている。このワンタッチ底片１ｊは、他のワンタッチ底片１ｋ〜１ｍと係合して、箱本体１ａの底部を構成する。前面部１ｈに連結された右側面部１ｉは、上側の折曲線を介して内フラップ１ｃ、下側の折曲線を介してワンタッチ底片１ｋとそれぞれ連結しているとともに、右側の折曲線を介して後面部１ｎと連結している。この後面部１ｎは、上側の折曲線を介して外フラップ１ｄ、下側の折曲線を介してワンタッチ底片１ｌとそれぞれ連結しているとともに、右側の折曲線を介して左側面部１ｏと連結している。この左側面部１ｏは、上側の折曲線を介して内フラップ１ｂ、下側の折曲線を介してワンタッチ底片１ｍとそれぞれ連結しているとともに、糊代部１ｇに接着される。外フラップ１ｄは、上側の折曲線を介して差込片１ｆと連結しており、これとフラップ１ｂ〜１ｄとが連係することによって、商品収容箱１の開閉部を構成する。
【００１８】
ここで、外フラップ１ｄの差込片１ｆに関して、その付け根から先端に至るまでの距離（以下、「差込高」という）は一定ではなく、連続的に変化するような先端形状になっている。具体的には、差込片１ｆは、差込高が最も大きな突出部Ａを有する。この突出部Ａは、差込片１ｆの中央から偏倚した位置に設けられている。また、差込片１ｆは、突出部Ａを起点に一方に向かって差込高が徐々に小さくなるように、縁部が傾斜して延在する傾斜部Ｂ（長傾斜部）を有する。本実施形態において、傾斜部Ｂは、差込片１ｆの先端側に向かって凸状に湾曲しながら傾斜している。なお、本発明の必須の構成要件ではないが、本実施形態では、突出部Ａを起点に他方に向けても縁部が傾斜して延在している（短傾斜部）。なお、突出部Ａは、差込片１ｆを箱本体１ａ内に差し込む際、一対の内フラップ１ｂ，１ｃよりも内側に位置するように設けられている。
【００１９】
図３は、外フラップ１ｄを開いた状態の商品収容箱１を示す図である。箱本体１ａの開口部近傍には、外フラップ１ｄの差込片１ｆを差し込むための差込スペースが存在する。ただし、この差込スペースの差込幅は一定ではなく、収容される商品の形状的な相違に起因して、差込幅の異なる２つの差込スペースｃ１，ｃ２を有する。第１の差込スペースｃ１は、ミニチュアボトル２の外面と箱本体１ａの内面の間に形成された隙間である。一般に、ミニチュアボトル２の頭部の外径は胴部のそれよりも小さいので、第１の差込スペースｃ１は、差込片１ｆを差し込むのに十分な差込幅（箱本体１ａの奥行き方向の隙間）を有している。差込片１ｆの突出部Ａを第１の差込スペースｃ１と位置的に対応するように形成しておくことで、差込片１ｆを差し込む際、第１の差込スペースｃ１が突出部Ａと対向する。一方、第２の差込スペースｃ２は、菓子箱３の外面と箱本体１ａの内面の間に形成された隙間である。上述したように、菓子箱３は箱本体１ａの前面側に位置している関係上、第２の差込スペースｃ２の差込幅は、第１の差込スペースのそれと比較すると狭くなっている。差込片１ｆの傾斜部Ｂを第２の差込スペースｃ２と位置的に対応するように形成しておくことで、差込片１ｆを差し込む際、第２の差込スペースｃ２が傾斜部Ｂと対向する。
【００２０】
図４は、開いた外フラップ１ｄを閉じる過程を示す図である。外フラップ１ｄを閉じて、差込片１ｆを箱本体１ａ内に差し込んでいく。最初に、差込高の最も大きな突出部Ａが第１の差込スペースｃ１内に差し込まれる。第１の差込スペースｃ１の差込幅は十分広いので、ミニチュアボトル２や箱本体１ａの端縁に引っ掛かることなく、突出部Ａが第１の差込スペースｃ１内に滑らかに入っていく。そして、突出部Ａが入り込んでいくに従って、凸状に湾曲した傾斜部Ｂも第２の差込スペースｃ２内に差し込まれる。第２の差込スペースｃ２の差込幅は狭いが、突出部Ａのガイドに従って割り込みながら入っていく。したがって、菓子箱３や箱本体１ａの端縁に引っ掛かることなく、傾斜部Ｂも第２の差込スペースｃ２内に滑らかに入っていく。
【００２１】
このように、本実施形態によれば、差込片１ｆの突出部Ａを、差込幅が最も狭い部位（すなわち、第２の差込スペースｃ２）を除く差込スペース（すなわち、第１の差込スペースｃ１）と対向する位置に設ける。これにより、突出部Ａに導かれながら、傾斜部Ｂを差込幅の比較的狭い第２の差込スペースｃ２に滑らかに差し込むことができる。その結果、箱本体１ａ内に収容された商品や箱本体１ａの端縁に引っ掛かり難くなるので、差込片１ｆの差し込みが容易になる。
【００２２】
また、本実施形態によれば、差込片１ｆを箱本体１ａ内に差し込む際、突出部Ａを一対の内フラップ１ｂ，１ｃよりも内側に位置するように設けることで、突出部Ａと内フラップ１ｂ，１ｃとの当接や干渉を有効に防止できる。したがって、差込片１ｆの差し込みが一層容易になる。
【００２３】
なお、本実施形態では、異種商品の形状に起因して差込スペースの差込幅に広狭が生じるケースについて説明した。しかしながら、本発明はこれに限定されるものではなく、例えば、仕切り板４のように商品以外の部材の存在によって広狭が生じるようなケースであってもよい。この点は、以下に述べる各実施形態についても同様である。
【００２４】
（第２の実施形態）
図５は、第２の実施形態に係る商品収容箱１の平面展開図である。この商品収容箱１の特徴は、差込片１ｆ’の傾斜部Ｂを差込片１ｆの先端側に向かって凹状に湾曲しながら傾斜させた点である。これ以外の点については、第１の実施形態と同様なので、図２に付した符号と同一の符号を付してここでの説明を省略する。
【００２５】
本実施形態によれば、第１の実施形態と同様、箱本体１ａ内に収容された商品等への引っ掛かりが抑制されるので、差込片１ｆ’の差し込みが容易になるという効果がある。
【００２６】
（第３の実施形態）
図６は、第３の実施形態に係る商品収容箱１の平面展開図である。この商品収容箱１の特徴は、差込片１ｆ''の傾斜部Ｂを直線状に傾斜させた点である。これ以外の点については、第１の実施形態と同様なので、図２に付した符号と同一の符号を付してここでの説明を省略する。
【００２７】
本実施形態によれば、上述した各実施形態と同様、箱本体１ａ内に収容された商品等への引っ掛かりが抑制されるので、差込片１ｆ''の差し込みが容易になるという効果がある。
【００２８】
（性能評価）
つぎに、図７に示す比較例と対比しつつ、上述した各実施形態に係る商品収容箱１の性能評価結果について説明する。なお、図７に示した比較例に係る商品収容箱１’では、差込片１ｆ'''に突出部Ａが存在せず、差込高が一定になっている。本性能評価では、１４人のモニターを対象に、以下に示す評価尺度で評価を実施した。それぞれの評価結果を（Ａ），（Ｂ）に示す。
【００２９】
（Ａ）外フラップ差込時の”引っ掛かり"評価
図８は、外フラップ差込時の引っ掛かりに関する性能評価結果表である。上述した各実施形態および比較例に係るサンプル（商品収容箱１，１’）に関して、モニターが外フラップ１ｄを差し込む際、菓子箱３等に引っ掛かりが生じるか否かを評価した。ここで、”引っ掛かり”とは、外フラップ１ｄが菓子箱３や箱本体１ａの端縁に引っ掛かることをいう。同図に示すように、第１の実施形態については１人が、第２の実施形態については２人が、第３の実施形態については３人が引っ掛かりが生じると感じた。一方、比較例については１０人が引っ掛かりが生じると感じた。このように、外フラップ１ｄの差込片１ｆに突出部Ａを設けることで、外フラップ差込時の引っ掛かりが改善されていることが分かる。
【００３０】
（Ｂ）外フラップ差込時の”入れ易さ”評価
図９は、外フラップ差込時の入れ易さに関する性能評価結果表である。上述した各実施形態および比較例に係るサンプル（商品収容箱１，１’）に関して、モニターが外フラップ１ｄを差し込む際の入れ易さを評価した。ここで、”入れ易さ”とは、外フラップ１ｄを箱本体１ａ内に差し込む際の手感、例えば滑らかに外フラップ１ｄが箱本体１ａ内に入るか、或いは、大きな抵抗なく箱本体１ａ内に入るかをいう。外フラップ１ｄを差し込む際、”抵抗を感じず滑らかに差し込める”と感じた者は２点とし、”抵抗感はあるが滑らかに差し込める”と感じた者は１点とし、”抵抗感があり滑らかに差し込めない”と感じた者は０点とした。同図に示すように、第１から第３の実施形態についてはいずれも評価点が比較例よりも高く、外フラップ差込時の入れ易さが改善されていることが分かる。
【産業上の利用可能性】
【００３１】
以上のように、本発明に係る商品収容箱は、異種商品を１セットとしてパッケージ化する形態に代表されるように、差込スペースの差込幅に広狭が生じるような商品収容箱に対して、広く適用できる。
【符号の説明】
【００３２】
１  商品収容箱
１ａ  箱本体
１ｂ，１ｃ  内フラップ
１ｄ  外フラップ
１ｅ  開口窓
１ｆ，１ｆ’，１ｆ''  差込片
１ｇ  糊代部
１ｈ  前面部
１ｉ  右側面部
１ｊ〜１ｍ  ワンタッチ底片
１ｎ  後面部
１ｏ  左側面部
Ａ  突出部
Ｂ  傾斜部
ｃ１，ｃ２  差込スペース
２  ミニチュアボトル
３  菓子箱
４  仕切り板
４ａ  スペーサ
【図１】
2010159068.tif 000003
【図２】
2010159068.tif 000004
【図３】
2010159068.tif 000005
【図４】
2010159068.tif 000006
【図５】
2010159068.tif 000007
【図６】
2010159068.tif 000008
【図７】
2010159068.tif 000009
【図８】
2010159068.tif 000010
【図９】
2010159068.tif 000011